(57)【要約】　　　（修正有）【課題】フォーカス電圧引出位置を変更する作業を高圧ボビンに高圧コイルを巻線する作業において簡単に行うことで多様な製品条件に迅速に対応できるフライバックトランスを提供することにある。【解決手段】本発明は、高圧ボビン１０に着脱可能に位置付けられ、前記高圧ボビン１０から発生する最終高電圧の出力される高圧端に当る上部ターミナルピン１７と上部端が電気的に連結され、前記フォーカス連結端子に下部端が電気的に連結されるブリーダ抵抗３２；及び、前記高圧ボビン１０の高圧端と低圧端との間に生じる任意電圧を引き出すよう前記上部ターミナルピン１７と一端が連結され、前記フォーカスパック３１のフォーカス連結端子と電気的に連結されるブリーダ抵抗３２の下部端と他端が連結され、最初高圧コイル層と最終高圧コイル層との間に配置されるフォーカス引出コイル２を含み、製品寸法を小型化させ製造原価を低減させる効果が得られる。【選択図】　　　図１
2004023091.tif 000002
【特許請求の範囲】
【請求項１】
ＴＶセットまたはモニターなどのＣＲＴに直流高電圧及び少なくとも一つ以上のフォーカス電圧を提供するフライバックトランスにおいて、
水平同期パルスの入力を受けて鋸波を発生させる水平出力部と、
低圧コイルが外部面に複数回巻かれた１次巻線を形成する低圧ボビンと、
複数の高圧コイルが絶縁フィルムを介して多数の高圧コイル層を有するよう複数回巻かれた２次巻線を形成し、複数の上、下部ターミナルピンの間に多数の高圧整流ダイオードが直列連結されて高電圧を出力する高圧ボビンと、
少なくとも一つ以上のフォーカス電圧を調整すべく可変抵抗体が印刷された印刷回路基板が絶縁樹脂のモールディングで内蔵され、フォーカス電圧が入力されるフォーカス連結端子が設けられるフォーカスパックと、
前記高圧ボビンに着脱可能に位置付けられ、前記高圧ボビンから発生した最終高電圧が出力される高圧端に当接する上部ターミナルピンと上部端とが電気的に連結され、前記フォーカス連結端子に下部端が電気的に連結されるブリーダ抵抗と、
前記高圧ボビンの高圧端と低圧端との間に形成される任意電圧を引出す前記上部ターミナルピンと一端が連結され、前記フォーカスパックのフォーカス連結端子と電気的に連結される前記ブリーダ抵抗の下部端と他端が連結され、第一高圧コイル層と最終高圧コイル層との間に配置されるフォーカス引出コイルと、
を備えたことを特徴とするフライバックトランス。
【請求項２】
前記フォーカス引出コイルの一端は、前記高圧ボビンの高圧端に当接する最終上部ターミナルピンと前記高圧ボビンの低圧端に当接する第一上部ターミナルピンとの間に少なくとも一つ以上設けられる中間上部ターミナルピンと電気的に一対一で連結されることを特徴とする請求項１に記載のフライバックトランス。
【請求項３】
前記フォーカス引出コイルは、前記高圧ボビンに巻かれる高圧コイルと同じ巻回方向に巻線されることを特徴とする請求項１または請求項２に記載のフライバックトランス。
【請求項４】
前記フォーカス引出コイルは、前記中間上部ターミナルピンと最終下部ターミナルピンとの間に最短距離で巻くよう配置されることを特徴とする請求項１または請求項２に記載のフライバックトランス。
【請求項５】
前記フォーカス引出コイルは、前記ボビン本体に少なくとも１回以上巻くよう配置されることを特徴とする請求項１または請求項２に記載のフライバックトランス。
【請求項６】
ＴＶセットまたはモニターなどのＣＲＴに直流高電圧及び少なくとも一つ以上のフォーカス電圧を提供するフライバックトランスにおいて、
水平同期パルスの入力を受けて鋸波を発生させる水平出力部と、
低圧コイルが外部面に複数回巻かれた１次巻線を形成する低圧ボビンと、
複数の高圧コイルが絶縁フィルムを介して多数の高圧コイル層を有するよう複数回巻かれた２次巻線を形成し、複数の上、下部ターミナルピンの間に多数の高圧整流ダイオードが直列連結されて高電圧を出力する高圧ボビンと、
少なくとも一つ以上のフォーカス電圧を調整すべく可変抵抗体が印刷された印刷回路基板が絶縁樹脂のモールディングで内蔵され、フォーカス電圧が入力されるフォーカス連結端子が設けられるフォーカスパックと、
前記高圧ボビンの上部一側面に形成された挿入具に上部端が挿入され、前記高圧ボビンの下部一側面に形成された安着具に下部端が挿入され、前記高圧ボビンの高圧端に当接する上部ターミナルピンと上部端が電気的に連結され、前記フォーカス連結端子に下部端が電気的に連結されて前記高圧ボビンに着脱可能に位置付けられるブリーダ抵抗と、
前記高圧ボビンの高圧端と低圧端との間に形成される任意電圧を引出す前記上部ターミナルピンと一端が連結され、前記ブリーダ抵抗の下部端と他端が連結され、第一高圧コイル層と最終高圧コイル層との間に配置されるフォーカス引出コイルと、
を備えたことを特徴とするフライバックトランス。
【請求項７】
前記挿入具と安着具の近傍にはＵ字形の上、下部ターミナルピンが各々挿入される上、下部ピン溝が形成されることを特徴とする請求項６に記載のフライバックトランス。
【請求項８】
前記挿入具と安着具は、前記ブリーダ抵抗と高圧端側の上、下部ターミナルピンとの電気的連結が容易になるよう高圧出力の発生する高圧端側に設置されることを特徴とする請求項６に記載のフライバックトランス。
【発明の詳細な説明】
【０００１】
【発明の属する技術分野】
本発明は、ブリーダ抵抗を高圧ボビンに一体化させて製品寸法を小型化し、製造原価を低減させることができ、フォーカス電圧を引き出す作業を高圧ボビンに高圧コイルを巻線する作業中に簡単に行って多様な製品条件に迅速に対応できるよう改善したフライバックトランスに関するものである。
【０００２】
【従来の技術】
一般にフライバックトランス（Ｆｌｙ　Ｂａｃｋ　Ｔｒａｎｓｆｏｒｍｅｒ：以下、ＦＢＴという。）はＴＶセットのブラウン管やモニター内部に装着され、水平出力回路から出力されるパルス電圧を数十倍まで倍加させ直流高圧を発生させる装置である。
【０００３】
図４は一般のフライバックトランスに用いる高圧安定化回路を示すもので、これは水平同期パルスの入力を受けて鋸波を発生させる水平出力回路（Ｐ）と、前記回路（Ｐ）の出力端と一端が連結されて他端に電源（Ｂ＋）が連結された１次巻線（Ｌ１）と、複数個の高圧整流ダイオード（Ｄ１〜Ｄ５）が直列連結されて高電圧（ＨＶ）を出力させる２次巻線（Ｌ２）と、前記２次巻線（Ｌ２）の高圧端から発生する高電圧を安定化させるブリーダ（Ｂｌｅｅｄｅｒ）抵抗（Ｂ／Ｒ）と、複数のフォーカス電圧が出力されるフォーカス回路（Ｆ）及び３次低圧回路（Ｌ３）などから成る。
【０００４】
図５は一般のフライバックトランスを示す分解斜視図で、前記水平出力回路と連結される１次巻線を形成するよう低圧コイルが複数回巻かれた低圧ボビン１１０ａと、これを内部中央孔に挿し込み重畳配置し、２次巻線を形成すべく多数の高圧コイル１１３が巻かれ、複数個の高圧整流ダイオード１１９（以下、ダイオードと称す。）が直列連結された高圧ボビン１１０と、ブリーダ抵抗１３２が内蔵されるフォーカスパック１３１を具え前記低・高圧ボビン１１０ａ、１１０を内蔵するＦＢＴケースの一側に装着され、ブラウン管のフォーカス電圧を可変させるよう複数個のつまみを有するフォーカス部１３０、及び前記高圧ボビン１１０の高圧端に発生した高電圧をアノードケーブル１３９（Ａｎｏｄｅ　Ｃａｂｌｅ）を通して前記ブラウン管に供給するアノードキャップ（Ａｎｏｄｅ　Ｃａｐ）などから成る。
【０００５】
かかる構成のＦＢＴ１００において高圧ボビン１１０に多数の高圧コイル１１３を巻線する従来の方法は、図５と図６に示すように、コイルワインディング機（図示せず）により中空円筒形ボビン本体１１１の外周面に巻かれる絶縁フィルム１１４上に第一の高圧コイル１１３を巻線し、前記巻線された第一の高圧コイル１１３上に巻かれる他の絶縁フィルム１１４上に第二の高圧コイル１１３を巻線するという方法を外周方向に繰り返して多数の高圧コイル層を積層し（ボビン本体から外部に積層される高圧コイルを順に第一、第二の高圧コイルとする。）、最終高圧コイル層の外部面に絶縁フィルム１１４を巻いて絶縁する。こうして、電源を印加する際に各層間巻線コイルの電位差により高圧を発生させ、発生した高電圧はアノードケーブル１３９を通してブラウン管に供給されるようになる。
【０００６】
そして、前記高圧ボビン１１０に絶縁フィルム１１４を介して多数層積層される各高圧コイル層の高圧コイル１１３両端は、前記ボビン本体１１１の上、下部に複数個形成されたピン支持部１１５、１１６の上、下部ターミナルピン１１７、１１８の間に交互連結され、前記ダイオード１１９の両端から引出されたリード線も各々電気的に直列連結される。
【０００７】
さらに、前記フォーカス部１３０のフォーカスパック１３１には複数のフォーカス電圧を調整するために可変抵抗部が印刷された印刷回路基板が内蔵され、前記ブリーダ抵抗１３２は前記高圧ボビン１１０の高圧端から出力される高電圧を１８ないし３２％ほどの所定レベルまで電圧降下させるべく前記高圧ボビン１１０の高圧端と電気的に連結されながら前記フォーカスパック１３１の一側にホルダー１３３で固設される。
【０００８】
そして、前記フォーカスパック１３１には、高電圧を出力する高圧端の上部ターミナルピンである第１ロングピン１１７ａが挿入されて電気的に連結される第１ピン端子１３７ａと、フォーカス電圧を引出すよう高圧端と低圧端との間に配置された上部ターミナルピンである第２ロングピン１１７ｂが挿入されて電気的に連結される第２ピン端子１３７ｂとが各々固設され、前記第１、２ピン端子１３７ａ、１３７ｂはケーブル１３６ａ、１３６ｂを介して前記ブリーダ抵抗１３２と連結構成され、前記高圧ボビン１１０の低圧端にはブラウン管のビーム電流を制限する電流制限回路（ＡＢＬ）が連結される。
【０００９】
【発明が解決しようとする課題】
ところで、前記のような従来の構造において、前記フォーカス部１３０にはブリーダ抵抗１３２を接地して固定すべく別途の空間及びホルダーを前記フォーカスパック１３１の一側に設けなければならなく、前記ＦＢＴ１００の寸法を小型化させ製造原価を下げるには限界があった。
【００１０】
また、フォーカス電圧が引出される位置を可変させようとする場合は、位置の決まった第１ロングピン１１７ａに対応する第２ロングピン１１７ｂの設置位置を変更させると同時に前記第２ロングピン１１７ｂが挿入される第２ピン端子１３７ｂの設置位置も同じく変更しなければならないので、工程上組立が大変複雑、且つ煩わしくなる一方、需要者の様々な設計条件に速やかに対応し兼ねる問題があった。
【００１１】
本発明は、このような従来の課題に鑑みてなされたものであり、その目的は、フォーカス電圧引出位置を変更する作業を高圧ボビンに高圧コイルを巻線する作業において簡単に行うことで多様な製品条件に迅速に対応できるフライバックトランスを提供することにある。
【００１２】
本発明の他の目的は、ロングピンとピン端子を必要とせずに高圧端とフォーカス電圧引出端をブリーダ抵抗に連結し、ブリーダ抵抗を高圧ボビンに一体化して、完成品の寸法を小型化して製造原価を低減させ得るフライバックトランスを提供することにある。
【００１３】
【課題を解決するための手段】
前記のような目的を成し遂げるための技術的な構成として、本発明は、ＴＶセットまたはモニターなどのＣＲＴに直流高電圧及び少なくとも一つ以上のフォーカス電圧を提供するフライバックトランスにおいて、水平同期パルスの入力を受け鋸波を発生させる水平出力部；低圧コイルが外部面に複数回巻かれた１次巻線を形成する低圧ボビン；複数の高圧コイルが絶縁フィルムを介して多数の高圧コイル層を有するよう複数回巻かれた２次巻線を形成し、複数の上、下部ターミナルピンの間に多数の高圧整流ダイオードが直列連結され高電圧を出力する高圧ボビン；少なくとも一つ以上のフォーカス電圧を調整するよう可変抵抗体が印刷された印刷回路基板が絶縁樹脂のモールディングで内蔵され、フォーカス電圧が入力されるフォーカス連結端子が設けられるフォーカスパック；前記高圧ボビンに着脱可能に位置付けられ、前記高圧ボビンから発生した最終高電圧が出力される高圧端に当る上部ターミナルピンと上部端が電気的に連結され、前記フォーカス連結端子に下部端が電気的に連結されるブリーダ抵抗；及び前記高圧ボビンの高圧端と低圧端との間に形成される任意電圧を引出するよう前記上部ターミナルピンと一端が連結され、前記フォーカスパックのフォーカス連結端子と電気的に連結されるブリーダ抵抗の下部端と他端が連結され、第一高圧コイル層と最終高圧コイル層との間に配置されるフォーカス引出コイルを含むことを特徴とするフライバックトランスを具備する。前記フォーカス引出コイルの一端は、前記高圧ボビンの高圧端に当る最終上部ターミナルピンと前記高圧ボビンの低圧端に当る第一上部ターミナルピンとの間に少なくとも一つ以上設けられる中間上部ターミナルピンと電気的に一対一で連結されることを要旨とする。前記フォーカス引出コイルは、前記高圧ボビンに巻かれる高圧コイルと同じ巻回方向に巻線されることを要旨とする。前記フォーカス引出コイルは、前記中間上部ターミナルピンと最終下部ターミナルピンとの間に最短距離で巻くよう配置されることを要旨とする。前記フォーカス引出コイルは、前記ボビン本体に少なくとも１回以上巻くよう配置されることを要旨とする。
【００１４】
他の目的を達成すべく、本発明は、ＴＶセットまたはモニターなどのＣＲＴに直流高電圧及び少なくとも一つ以上のフォーカス電圧を提供するフライバックトランスにおいて、水平同期パルスの入力を受け鋸波を発生させる水平出力部；低圧コイルが外部面に複数回巻かれた１次巻線を形成する低圧ボビン；複数の高圧コイルが絶縁フィルムを介して多数の高圧コイル層を有すべく複数回巻かれた２次巻線を形成し、複数の上、下部ターミナルピンの間に多数の高圧整流ダイオードが直列連結され高電圧を出力する高圧ボビン；少なくとも一つ以上のフォーカス電圧を調整すべく可変抵抗体が印刷された印刷回路基板を絶縁樹脂のモールディングで内蔵し、フォーカス電圧が入力されるフォーカス連結端子が設けられるフォーカスパック；前記ボビン本体の上部一側面に形成された挿入具に上部端が挿入され、前記ボビン本体の下部一側面に形成された安着具に下部端が挿入され、前記高圧ボビンの高圧端に当る上部ターミナルピンと上部端とが電気的に連結され、前記フォーカス連結端子に下部端が電気的に連結され前記高圧ボビンに着脱可能に位置付けられるブリーダ抵抗；及び前記高圧ボビンの高圧端と低圧端との間に形成される任意電圧を引出すべく前記上部ターミナルピンと一端が連結され、前記ブリーダ抵抗の下部端と他端が連結され、第一高圧コイル層と最終高圧コイル層との間に配置されるフォーカス引出コイルを含むことを特徴とするフライバックトランスを具備する。前記挿入具と安着具の近傍にはＵ字形の上、下部ターミナルピンが各々挿入される上、下部ピン溝が形成されることを要旨とする。前記挿入具と安着具は、前記ブリーダ抵抗と高圧端側の上、下部ターミナルピンとの電気的連結が容易になるよう高圧出力の発生する高圧端側に設置されることを要旨とする。
【００１５】
【発明の実施の形態】
以下、本発明についてより詳しく説明する。図１は本発明によるフォーカス電圧引出方法を用いたフライバックトランスにおけるボビン部とフォーカス部を示す分解斜視図、図２は本発明によるフォーカス電圧引出方法を用いたフライバックトランスにおけるボビン部とフォーカス部を示す概略図、図３（Ａ）、（Ｂ）は本発明によるフォーカス電圧引出方法を用いたフライバックトランスにおける高圧ボビンに高圧コイル、フォーカス引出コイルが巻線される状態図である。
【００１６】
本発明のＦＢＴ１は図１、２、３（Ａ）、（Ｂ）に示すように、低圧ボビン１０ａと高圧ボビン１０が重畳配置されるボビン部を有するが、前記低圧ボビン１０ａには低圧コイルを複数回巻いて外部電源が印加される１次巻線を形成し、前記低圧ボビン１０ａが内部孔に挿入される高圧ボビン１０の中空円筒形ボビン本体１１には複数の高圧コイル１３が多数のコイル層を有すべく絶縁フィルム１４を介して外部面に複数回巻かれて２次巻線を形成する。
【００１７】
そして、前記ボビン本体１１の上、下部端には複数個の上、下部ターミナルピン１７、１８が装着される上、下部ピン支持部１５、１６が複数個形成され、前記上、下部ターミナルピン１７、１８の間毎にダイオード１９が各々直列連結される。
【００１８】
さらに、フォーカス部３０を構成するフォーカスパック３１には、ブラウン管のフォーカス電圧を調整すべく可変抵抗体を有する印刷回路基板（図示せず）が絶縁樹脂により密封処理され、複数個のつまみ３１ｂが前面に装着される一方、後面にはフォーカス電圧が入力されるフォーカス連結端子３１ａと高電圧が入力されるアノード連結端子３９ａが各々露出される。
【００１９】
そして、前記高圧ボビン１０のボビン本体１１には抵抗パターン３２ａが一側外部面に印刷されたブリーダ抵抗３２が装着され、前記ボビン本体１１の上、下部一側面には前記ブリーダ抵抗３２の上部端が挿入される挿入具３３ａと下部端が安着される安着具３３ｂが各々一体形成され、前記挿入具３３ａと安着具３３ｂの近傍にはＵ字形の上、下部ターミナルピン３５、３６が各々挿入されて固定配置される上、下部ピン溝３３ｃ、３３ｄが形成される。
【００２０】
かかるブリーダ抵抗３２の抵抗パターン３２ａ上部端は前記高圧ボビン１０から発生した高電圧が出力される高圧端に当接する最終上部ターミナルピン３５とリード線３４ａを介して電気的に連結され、前記ブリーダ抵抗３２の抵抗パターン３２ａ下部端はリード線３４ｂを介して高圧端に当接する最終下部ターミナルピン３６と電気的に連結され、前記最終下部ターミナルピン３６には前記高圧ボビン１０の高圧端と低圧端との間に設けられる中間上部ターミナルピン１７からフォーカス電圧を引出せるよう前記中間上部ターミナル１７と一端が連結されるフォーカス引出コイル２の他端が電気的に連結される。
【００２１】
そして、前記フォーカス引出コイル２は、コイルワインディング機（図示せず）により前記ボビン本体１１の外部面に絶縁フィルム１４を介して高圧コイル１３を交互巻線し複数の高圧コイル層を形成する工程作業中、第一高圧コイル層と最終高圧コイル層との間に配置される。即ち、前記高圧本体１０の外部面に絶縁フィルム１４を巻き、前記絶縁フィルム１４の外部面に第一高圧コイル１３を多数回巻線して第一コイル層を形成し、前記第一コイル層の外部面に他の絶縁フィルム１４を介して第二高圧コイル１３を多数回巻線する作業を繰り返して２次巻線を形成する工程作業中行われるものである。そして、引出コイル層を形成すべく予め設定された任意高圧コイル層（図中一点鎖線により描かれた円の略中央部、ここで、前記任意高圧コイル層より後述する任意電圧が発生される。）上に絶縁フィルム１４を巻き、その上に一端が中間上部ターミナルピン１７に連結されたフォーカス引出コイル２を一方向に巻いて配置し、前記フォーカス引出コイル２の他端は前記ブリーダ抵抗３２の下部端が電気的に連結された最終下部ターミナルピン３６と相互ハンダ付け連結し、前記最終下部ターミナルピン３６は引出されたフォーカス電圧をフォーカスパック３１に供給するようフォーカス連結端子３１ａと電気的に連結構成される。そして、前記ボビン本体１１に巻かれたフォーカス引出コイル２上に絶縁フィルム１４を巻いて残りの高圧コイル１３を交互に巻線する作業を繰り返し続けて２次巻線作業を終了する。
【００２２】
かかるフォーカス引出コイル２は前記高圧ボビン１１の高圧端に当接する最終上部ターミナルピン３５と前記低圧端に当接する第一上部ターミナルピン１７との間に少なくとも一つ以上設けられる中間上部ターミナルピン１７の一端と一対一で連結され、ここから引出されるフォーカス電圧は高圧端から発生する高圧出力より小さく、低圧端から高圧端に行くほど大きくなる。
【００２３】
さらに、前記フォーカス引出コイル２は高圧出力を円滑に得られるよう前記高圧ボビン１１に巻かれる高圧コイル１３と同一な巻き方向に巻線されることが好ましく、前記フォーカス引出コイル２は前記中間上部ターミナルピン１７と最終下部ターミナルピン３６との間に最短距離で巻くよう配置されたり前記ボビン本体１１に少なくとも１回以上巻くよう配置されてもよい。
【００２４】
前記ブリーダ抵抗３２が固定される前記ボビン本体１１の挿入具３３ａと安着具３３ｂは、前記ブリーダ抵抗３２と高圧端側の上、下部ターミナルピン３５、３６との電気的連結が容易になるよう高圧出力が発生する高圧端側に設置されるとよい。そして、前記最終上部ターミナルピン３５は、前記ブリーダ抵抗３２の抵抗パターン３２ａ上部端から引出されたリード線３４ａが連結される第１ピン３５ａと最終ダイオード１９の一端が連結される第２ピン３５ｂを一体に設けて上部ピン溝３３ｃに固定されるＵ字形ピン部材であり、前記最終下部ターミナルピン３６は前記ブリーダ抵抗３２の抵抗パターン３２ａの下部端から引出されたリード線３４ａが連結される第１ピン３６ａと前記フォーカス引出コイル２の一端が連結される第２ピン３６ｂを一体に設けて上部ピン溝３３ｄに固定されるＵ字形ピン部材である。
【００２５】
前記の構成から成る本発明の作用について説明する。本発明のＦＢＴ１は、前記低圧ボビン１０ａに形成された１次巻線の一端へ鋸波を印加して他端に電源を印加すると、前記低圧ボビン１０ａの１次巻線に印加された鋸波は高圧ボビン１０の２次巻線を形成する多数の高圧コイル層により昇圧される。ここで、前記鋸波は図４に示した水平出力回路（Ｐ）により水平同期パルスを受けて発生される。
【００２６】
それと同時に、複数個の上、下部ターミナルピン１７、１８の間毎に直列連結されたダイオード１９に整流されながら最終上部ターミナルピン３５に高電圧（約２５ｋＶ）を出力することになり、出力された高電圧はアノードケーブル３９を通してブラウン管に連結されたアノードキャップのような高電圧出力端に入力されると共に、前記最終上部ターミナルピン３５と電気的に連結されたブリーダ抵抗３２側に入力される。そして、前記ブリーダ抵抗３２側に入力された高電圧はここに印刷された抵抗パターンを通過しながら１８ないし３２％程の所定レベルにまで電圧降下して安定化する。
【００２７】
さらに、低圧端側の第一上部ターミナルピン１７と高圧端側の最終上部ターミナルピン３５との間に装着された中間上部ターミナルピン１７と前記ブリーダ抵抗３２の下部端との間には絶縁フィルム１４を介して高圧コイル層の間にフォーカス引出コイル２が電気的に連結される。これにより、低圧端から高圧端側に行くほど昇圧される高電圧中の一部（任意電圧）が前記フォーカス引出コイル２を通して引出され、引出されたフォーカス電圧は前記フォーカスパック３１のフォーカス連結端子３１ａを通して印刷回路基板に入力され、入力されたフォーカス電圧は印刷回路基板の可変抵抗部により調整される。
【００２８】
一方、需要者の要求に応じてより高いフォーカス電圧がフォーカスパック３１に入力されるＦＢＴ１を製造しようとする場合は、高圧ボビン１０に高圧コイル１３を巻線する工程にあたって前記フォーカス引出コイル２の一端を高圧端に近接した中間上部ターミナルピン１７と連結させる。これに対して、他面より低いフォーカス電圧がフォーカスパック３１に入力される他のＦＢＴ１を製造しようとする場合は、前記フォーカス引出コイル２の一端を低圧端に近接した中間上部ターミナルピン１７と連結させるようにする。なお、本発明は特定の実施の形態に係り図示説明したが、以下の請求の範囲により具備される本発明の精神や分野を外れない限度内において本発明が多様に改造及び変化され得ることは当業界において通常の知識を有する者であれば容易に想到できることを明らかにしておく。
【００２９】
【発明の効果】
上述のような本発明によると、高圧出力端と上端が連結され、フォーカス電圧が引出されるフォーカス引出コイルと連結されるブリーダ抵抗を高圧ボビンの高圧端側に一体に設けることにより、フォーカスパックにブリーダ抵抗を収容していた従来のものに比してＦＢＴ完成品の全体寸法を著しく縮減させて小型化し、製造原価を低減させられ、生産工程を短縮することができる。そして、フォーカス電圧を引出す位置を高圧ボビンに高圧コイルを巻線する作業中に簡単に変更することにより、需要者の様々なフォーカス電圧条件に迅速に対応し製品の生産性を向上させる効果が得られる。
【図面の簡単な説明】
【図１】本発明によるフライバックトランスを示す分解斜視図である。
【図２】本発明によるフライバックトランスにおけるボビン部とフォーカス部を示す概略図である。
【図３】（Ａ）、（Ｂ）は本発明によるフライバックトランスの高圧ボビンにおける高圧コイル、フォーカス引出コイルが巻線される状態図である。
【図４】一般のフライバックトランスに用いる高圧安定化回路図である。
【図５】一般のフライバックトランスを示す分解斜視図である。
【図６】一般のフライバックトランスにおけるボビン部とフォーカス部を示す概略図である。
【符号の説明】
１　ＦＢＴ
２　フォーカス引出コイル
１０　高圧ボビン
１１　ボビン本体
１３　高圧コイル
１４　絶縁フィルム
１７　上部ターミナルピン
１８　下部ターミナルピン
３１　フォーカスパック
３２　ブリーダ抵抗
３５　最終上部ターミナルピン
３６　最終下部ターミナルピン
【図１】
2004023091.tif 000003
【図２】
2004023091.tif 000004
【図３】
2004023091.tif 000005
【図４】
2004023091.tif 000006
【図５】
2004023091.tif 000007
【図６】
2004023091.tif 000008